(57)【要約】【課題】非接触給電の利便性を維持しつつ、電気機器の機能、性能を最大に発揮できる非接触アダプタ及び受電用カセットを提供する。【解決手段】非接触アダプタ２０の筐体２１内に給電コイル１１が発生する交番磁束と交鎖して誘起電圧を出力する受電コイル２２が収容されている。非接触アダプタ２０の筐体２１は、その上面に台座３０を設けている。そして、筐体２１の上面に設けた台座３０にはプロジェクタ４０が載置される。【選択図】図１
2014099954.tif 000002
【特許請求の範囲】
【請求項１】
交番磁束と交鎖して誘起電圧を発生する受電コイルと、
前記受電コイルが発生する誘起電圧を入力し、電気機器に必要な電源仕様の電源を生成する電源回路部と、
前記電気機器と電気的に結合し、前記電源回路部が生成した電源電圧を電気機器に出力する出力部と
を有した非接触アダプタであって、
前記受電コイルを収容する筐体の上面に前記電気機器を載置するための台座を形成したことを特徴とする非接触アダプタ。
【請求項２】
請求項１に記載の非接触アダプタにおいて、
前記筐体内に収容された前記受電コイルは、そのコイル面が収容される筐体の下面と平行となるように配置されていること特徴とする非接触アダプタ。
【請求項３】
請求項１又は２に記載の非接触アダプタにおいて、
前記受電コイルは、受電用カセットに収容され、前記受電用カセットは、前記筐体に形成したカセット収納凹部に収納されるとともに、そのカセット収納凹部のカセット装填口から引き出し可能に装填されていることを特徴とする非接触アダプタ。
【請求項４】
請求項３に記載の非接触アダプタにおいて、
前記カセット収納凹部は、複数種類のサイズの異なる前記受電用カセットを差し替え替え可能であって、前記異なる受電用カセットに収容された受電コイルが、それぞれ仕様が異なる仕様であることを特徴とする非接触アダプタ。
【請求項５】
請求項３又は４に記載の非接触アダプタにおいて、
前記受電用カセットは、前記受電コイルとともに前記電源回路部をあわせて収容していることを特徴とする非接触アダプタ。
【請求項６】
請求項１〜５のいずれか１つに記載の非接触アダプタにおいて、
前記出力部は、前記筐体に設けられた電気機器のプラグ端子と電気的に結合する出力端子を有するコンセントであって、その出力端子は、前記電源回路部の外部出力端子と接続されていることを特徴とする非接触アダプタ。
【請求項７】
請求項１〜６のいずれか１つに記載の非接触アダプタにおいて、
前記台座は、電気機器の位置ずれを防止する位置ずれ防止部が施されていることを特徴とする非接触アダプタ。
【請求項８】
交番磁束と交鎖して誘起電圧を発生する受電コイルをカセット本体に収容したことを特徴とする受電用カセット。
【請求項９】
請求項８に記載の受電用カセットにおいて、
前記受電用カセットは、前記受電コイルとともに、前記受電コイルが発生する誘起電圧を入力し、電気機器に必要な電源仕様の電源を生成する電源回路部をあわせて収容していることを特徴とする受電用カセット。
【発明の詳細な説明】
【技術分野】
【０００１】
本発明は非接触アダプタ及び受電用カセットに関するものである。
【背景技術】
【０００２】
従来から、給電装置から受電装置へ非接触にて給電を行う非接触給電システムが種々提案されている。特に、非接触給電システムおいて、携帯電話等のモバイル機器を中心にコードレス置くだけ充電の実用化が、近年広く進んでいる（例えば、特許文献１）。
【０００３】
これらの実用化の進んでいる非接触給電システムでは、１次コイルに高周波電流を流し、電磁誘導を用いて２次コイルを通じて、非接触で電気機器に給電するものである。
この原理のため、２次コイルは給電エリアの１次コイルの磁束を十分受ける場所に設置しなければ安定給電はできないことから、１次コイルのほぼ真上に２次コイルを置かれるようにしなければならない。
【０００４】
ところで、ノートパソコン等のモバイル機器は、充電と作業を同時に行う必要があることから、モバイル機器をユーザが使用しやすい位置に置かなければならない。しかしながら、モバイル機器に、２次コイルを内蔵している形態では、機器自体を給電エリアに置いて、不自由な姿勢で作業を強いられる問題が生じる。
【０００５】
これを解決する方法として、２次コイルを内蔵した非接触アダプタを利用する方法がある（例えば、特許文献１、特許文献２）。これは、２次コイルが内蔵された非接触アダプタを１次コイルに設置し、接続電線を使い電気機器につなぐものである。
【先行技術文献】
【特許文献】
【０００６】
【特許文献１】特許第４１３５２９９号公報
【特許文献２】特許第４２００２５７号公報
【発明の概要】
【発明が解決しようとする課題】
【０００７】
ところで、この非接触アダプタは、電気機器自体の活用範囲を広げるのに有効であるが、逆に、電気機器を置く位置によっては、非接触アダプタ自体や、接続電線が邪魔になる場合がある。例えば、１次コイルが設置されている位置に電気機器を置いて作業をする場合である。
【０００８】
本発明は、上記問題を解決するためになされたものであり、その目的は、非接触給電の利便性を維持しつつ、電気機器の機能、性能を最大に発揮できる非接触アダプタ及び受電用カセットを提供することにある。
【課題を解決するための手段】
【０００９】
上記課題を解決するために、本発明の非接触アダプタは、交番磁束と交鎖して誘起電圧を発生する受電コイルと、前記受電コイルが発生する誘起電圧を入力し、電気機器に必要な電源仕様の電源を生成する電源回路部と、前記電気機器と電気的に結合し、前記電源回路部が生成した電源電圧を電気機器に出力する出力部とを有した非接触アダプタであって、前記受電コイルを収容する筐体の上面に前記電気機器を載置するための台座を形成して構成される。
【００１０】
また、上記構成において、前記筐体内に収容された前記受電コイルは、そのコイル面が収容される筐体の下面と平行となるように配置されていることが好ましい。
また、上記構成において、前記受電コイルは、受電用カセットに収容され、前記受電用カセットは、前記筐体に形成したカセット収納凹部に収納されるとともに、そのカセット収納凹部のカセット装填口から引き出し可能に装填されていることが好ましい。
【００１１】
また、上記構成において、前記カセット収納凹部は、複数種類のサイズの異なる前記受電用カセットを差し替え替え可能であって、前記異なる受電用カセットに収容された受電コイルが、それぞれ仕様が異なる仕様であることが好ましい。
【００１２】
また、上記構成において、前記受電用カセットは、前記受電コイルとともに前記電源回路部をあわせて収容していることが好ましい。
また、上記構成において、前記出力部は、前記筐体に設けられた電気機器のプラグ端子と電気的に結合する出力端子を有するコンセントであって、その出力端子は、前記電源回路部の外部出力端子と接続されていることが好ましい。
【００１３】
また、上記構成において、前記台座は、電気機器の位置ずれを防止する位置ずれ防止部が施されていることが好ましい。
上記課題を解決するために、本発明の受電用カセットは、交番磁束と交鎖して誘起電圧を発生する受電コイルをカセット本体に収容して構成される。
【００１４】
また、上記構成において、前記受電用カセットは、前記受電コイルとともに、前記受電コイルが発生する誘起電圧を入力し、電気機器に必要な電源仕様の電源を生成する電源回路部をあわせて収容していることが好ましい。
【発明の効果】
【００１５】
本発明によれば、利用する電気機器が非接触アダプタを置き台として使えるので、コードレスの利便性が引き出せるとともに、利用機器の性能を最大に引き出せる。
【図面の簡単な説明】
【００１６】
【図１】実施形態の非接触アダプタと給電装置の配置を示す全体斜視図。
【図２】同じく、非接触アダプタを斜め前方から見た全体斜視図。
【図３】同じく、カセットを引き出した状態の非接触アダプタを斜め前方から見た全体斜視図。
【図４】同じく、非接触アダプタを斜め後方から見た全体斜視図。
【図５】同じく、（ａ）（ｂ）はカセットの状態を説明する非接触アダプタの説明側断面図。
【図６】同じく、給電装置と非接触アダプタの電気的構成を説明する電気ブロック回路図。
【図７】同じく、非接触アダプタの使用状態を説明する全体斜視図。
【図８】同じく、非接触アダプタの使用状態を説明する全体斜視図。
【図９】同じく、非接触アダプタの使用状態を説明する全体斜視図。
【図１０】別の実施形態の台座を説明する非接触アダプタの全体斜視図。
【図１１】別の実施形態の台座を説明する非接触アダプタの全体斜視図。
【図１２】別の実施形態の台座を説明する非接触アダプタの全体斜視図。
【図１３】別の実施形態の台座を説明する非接触アダプタの全体斜視図。
【図１４】（ａ）（ｂ）は、別の実施形態の非接触アダプタの説明側断面図。
【発明を実施するための形態】
【００１７】
以下、本発明の非接触アダプタの実施形態を図１〜図９に従って説明する。
図１に示すように、机１の天板２内には、非接触給電装置（以下、給電装置という）１０が同天板２の右寄りの中央位置に収納固設されている。給電装置１０の筐体内には、給電コイル１１と、高周波電流を生成しその高周波電流を給電コイル１１に通電する高周波インバータ１３（図６参照）とが設けられている。
【００１８】
給電装置１０の筐体内に設けられた給電コイル１１は、その筐体の上側に配置され、そのコイル面が天板２の表面２ａと平行になるように配置されている。そして、給電コイル１１は、高周波インバータ１３からの高周波電流が通電されると、交番磁束を発生する。交番磁束は、天板２の表面２ａであって給電コイル１１の直上に位置する表面２ａから上方に向かって放射される。
【００１９】
また、天板２の給電コイル１１が設置されている位置には、給電コイル１１の配置位置を示すＬＥＤ等の発光素子よりなる配置位置表示ランプ３が表面２ａと面一となるように設けられている。配置位置表示ランプ３は、給電コイル１１のコイル面の中心位置に配置され、点灯することによって給電コイル１１の中心を指標する。
【００２０】
天板２には、非接触アダプタ２０が載置されている。非接触アダプタ２０は、四角箱状の筐体２１を有し、その筐体２１内には給電装置１０の給電コイル１１が発生する交番磁束と交鎖して誘起電圧を発生する受電コイル２２を有している。
【００２１】
受電コイル２２は、図３、図５（ａ）（ｂ）に示すように、カセット２３に収容されている。カセット２３は、筐体２１の正面２１ａ下側に形成したカセット収納凹部２４の開口部から引き出し可能に同カセット収納凹部２４に装填されようになっている。カセット２３に収容された受電コイル２２は、図３、図５（ｂ）に示すように、引出配線コード２５を介して筐体２１内に設けた受電回路２９（図６参照）に接続されている。そして、引出配線コード２５の長さに基づいてカセット２３（受電コイル２２）の、筐体２１からの引き出される距離が決定される。そして、カセット２３が、カセット収納凹部２４に装填されると、図２、図５（ａ）に示すように、カセット２３の一側面２３ａが筐体２１の正面２１ａと面一になった状態で収納固定される。
【００２２】
尚、カセット２３は、そのカセット本体が合成樹脂製であって、カセット本体内に樹脂モールド成形にて受電コイル２２を収容している。ここで、図５（ａ）（ｂ）では、カセット２３は受電コイル２２のみモールドしているが、回路基板に実装された受電コイル２２にあっては、回路基板とともにモールド成形する。
【００２３】
また、引出配線コード２５は、筐体２１内に設けた巻き取り及び繰り出し機構にて筐体２１内に巻き取られている。そして、反対に、カセット２３が引き出されるときには、筐体２１内に巻き取られていた引出配線コード２５は、カセット収納凹部２４から繰り出されるようになっている。また、繰り出された引出配線コード２５は、巻き取り及び繰り出し機構にて少し引っ張って後に緩めることによって巻き取られるようになっている。
【００２４】
カセット２３に収容された受電コイル２２は、そのコイル面がカセット２３の上下両側の偏平面２３ｂと平行になるように配置されている。従って、カセット２３が、天板２の給電コイル１１上の表面２ａに配置されると、受電コイル２２のコイル面は、給電コイル１１のコイル面と平行に相対向する。
【００２５】
また、カセット２３がカセット収納凹部２４に装填されている状態では、カセット２３の偏平面２３ｂは、筐体２１の底面２１ｂと平行となるように収納されている。従って、カセット収納凹部２４にカセット２３を装填した状態で、筐体２１が、天板２の給電コイル１１上の表面２ａに配置されると、受電コイル２２のコイル面は、給電コイル１１のコイル面と平行に相対向する。
【００２６】
そして、受電コイル２２は、給電コイル１１と相対向した状態で、給電コイル１１が発生する交番磁束と交鎖して誘起電圧を発生し、その誘起電圧を引出配線コード２５を介して筐体２１内に設けた受電回路２９に出力するようになっている。
【００２７】
図４に示すように、筐体２１の後面２１ｃには、コンセント２６及びＬＥＤ等の発光素子よりなる表示ランプ２７が設けられている。コンセント２６は、同コンセント２６の出力端子Ｔ３，Ｔ４（図６参照）が受電回路２９の外部出力端子Ｔ１，Ｔ２（図６参照）と内部配線コード２８（図６参照）を介して電気的に接続されている。表示ランプ２７は非接触アダプタ２０が給電装置１０から受電しているかどうかを表示するランプである。
【００２８】
筐体２１の上面２１ｄには、台座３０が固着して設けられている。台座３０は、板状であって上方から見ると筐体２１の上面２１ｄと同一形状をなしている。台座３０の外周縁には、規制壁３１が上方に向かって四角環状に形成されている。
【００２９】
そして、台座３０の規制壁３１に囲まれた領域に、電気機器としてのプロジェクタ４０が載置される。そして、プロジェクタ４０の電源プラグ４１を筐体２１の後面２１ｃに設けたコンセント２６に差し込むことにより、プロジェクタ４０は非接触アダプタ２０から駆動電源が受けられることになる。
【００３０】
次に、上記のように構成した給電装置１０と非接触アダプタ２０の電気的構成を説明する。
まず、給電装置１０について説明する。図６に示すように、給電装置１０は、電源回路１２と高周波インバータ１３を有している。
【００３１】
電源回路１２は、整流回路及びＤＣ／ＤＣコンバータを有し、外部から商用電源を入力して整流回路にて整流する。電源回路１２は、整流した直流電圧をＤＣ／ＤＣコンバータにて所望の電圧に変換した後、その直流電圧を駆動電源として高周波インバータ１３に出力する。
【００３２】
高周波インバータ１３は、電源回路１２からの駆動電源を入力して発振して高周波電流を生成する。高周波インバータ１３は、給電コイル１１と接続されていて、生成した高周波電流を同給電コイル１１に流すようになっている。これによって、給電コイル１１は、高周波電流が通電されることで、交番磁束を発生する。
【００３３】
また、電源回路１２は、天板２に配置した配置位置表示ランプ３を点灯させる電源も供給するようになっている。
図６において、非接触アダプタ２０は、受電コイル２２と引出配線コード２５を介して接続する受電回路２９を備える。受電回路２９は、整流平滑回路部、ＤＣ／ＡＣ変換回路を有している。受電回路２９は、整流平滑回路部にて受電コイル２２が発生する誘起電圧をリップルのない直流電圧に変換しＤＣ／ＡＣ変換回路にてプロジェクタ４０の電源仕様のための電源電圧に変換する。受電回路２９はプロジェクタ４０の仕様のあわせた電源電圧を外部出力端子Ｔ１，Ｔ２に出力する。
【００３４】
外部出力端子Ｔ１，Ｔ２は、内部配線コード２８を介してコンセント２６の出力端子Ｔ３，Ｔ４に接続されている。そして、コンセント２６の出力端子Ｔ３，Ｔ４は、プロジェクタ４０の電源プラグ４１のプラグ端子Ｔ５，Ｔ６と接続される。これによって、プロジェクタ４０は、受電回路２９（非接触アダプタ２０）からの電源電圧が印加される。
【００３５】
次に、上記のように構成した非接触アダプタ２０の作用を、同非接触アダプタ２０の使用方法に従って説明する。
今、図７に示すように、カセット２３を収納した状態の非接触アダプタ２０を、給電装置１０の給電コイル１１が配置されている真上の天板２に載置する。次に、プロジェクタ４０を筐体２１に設けた台座３０に載せ、プロジェクタ４０の電源プラグ４１を筐体２１に設けたコンセント２６に差し込む。
【００３６】
これによって、プロジェクタ４０は、非接触アダプタ２０から電源電圧が供給されて使用可能な状態となる。つまり、給電装置１０の給電コイル１１の設置箇所で、プロジェクタ４０は、筐体２１に設けた台座３０に載置された状態で使用できる。換言すれば、給電コイル１１の設置箇所に、自身では、受電コイル２２及び受電回路２９を備えておらず非接触アダプタ２０を使用しなければならないプロジェクタ４０を置いて映写を楽しむことができる。
【００３７】
また、この状態で、図８に示すように、台座３０とプロジェクタ４０の間に添え木４２あてがうことによってプロジェクタ４０の角度を変えて使用することができる。
一方、図９に示すように、給電コイル１１の設置箇所ではない場所に筐体２１を置き、プロジェクタ４０を筐体２１に載せる。そして、筐体２１からカセット２３を引き出し、同カセット２３を、給電コイル１１の設置箇所に配置する。この場合でも、プロジェクタ４０は、非接触アダプタ２０から電源電圧が供給されて使用可能な状態となる。
【００３８】
つまり、プロジェクタ４０は、給電装置１０の給電コイル１１が設置されていない場所で、筐体２１に設けた台座３０に載置された状態で使用できる。
次に、上記のように構成した実施形態の効果について記載する。
【００３９】
（１）本実施形態によれば、非接触アダプタ２０の筐体２１に台座３０を設けた。従って、その台座３０にプロジェクタ４０を載置できることから、該プロジェクタ４０を、給電コイル１１が設置されている箇所に配置して使用したい場合でも、非接触アダプタ２０から駆動電源を受けて使用することができる。従って、プロジェクタ４０の持つ機能、性能を最大に発揮できる。
【００４０】
（２）本実施形態によれば、受電コイル２２をカセット２３に収容し、そのカセット２３を、筐体２１から引き出し可能にした。従って、筐体２１から離れた位置に給電コイル１１が設置されていても、カセット２３だけを筐体２１から引き出し、同カセット２３を給電コイル１１の設置箇所に配置することができる。その結果、筐体２１の台座３０に載置されたプロジェクタ４０は、給電コイル１１が離れた位置にあっても同非接触アダプタ２０から駆動電源を受けて使用することができる。
【００４１】
（３）本実施形態によれば、台座３０の外周の規制壁３１を形成したので、台座３０に載置されたプロジェクタ４０の位置ずれが規制壁３１によって防止される。
（４）本実施形態によれば、受電コイル２２をカセット２３に収容したので、受電コイル２２は、カセット２３にて保護され損傷されることが防止されるとともに取り扱いが容易となる。
【００４２】
（他の実施形態）
○上記実施形態では、台座３０を筐体２１の上面に固着したが、台座３０を筐体２１と一体的に形成してもよい。
【００４３】
○上記実施形態では、台座３０に載置されたプロジェクタ４０の位置ずれを防止するための位置ずれ防止部として規制壁３１を形成した。これを、図１０に示すように、台座３０の上面に嵌合溝３５を形成して、たとえば、プロジェクタ４０の底面に設けられた脚等を同嵌合溝３５内に嵌合させるように実施してもよい。脚等が同嵌合溝３５に嵌合することによって、プロジェクタ４０は、台座３０に対して位置ずれすることなく安定して台座３０に載置される。
【００４４】
また、図１１に示すように、台座３０の上面にゴム状のフィルムＦを貼ってもよい。この場合、ゴム状のフィルムＦによって、台座３０に載置されたプロジェクタ４０が滑り難くなる。また、ゴム状のフィルムＦに代えて、台座３０の上面をエンボス加工してプロジェクタ４０を滑り難くしてもよい。
【００４５】
さらに、図１２に示すように、台座３０の上面の前後両側辺に、規制壁３６を設けてもよい。前後両側の規制壁３６間にプロジェクタ４０を載置することによって、プロジェクタ４０は、台座３０に対して前後方向に位置ずれすることなく安定して台座３０に載置される。
【００４６】
さらにまた、図１３に示すように、台座３０の上面に、円柱状の突起３７を設けてもよい。そして、底面に脚を有するプロジェクタ４０を台座３０に載置したとき、プロジェクタ４０の脚を、突起３７と突起３７の間に嵌合させることによって、プロジェクタ４０は、台座３０に対して位置ずれすることなく安定して台座３０に載置される。
【００４７】
また、プロジェクタ４０の底面に磁石を設け、台座３０の上面に磁性材料よりなる板材を設け、磁力によってプロジェクタ４０を台座３０に対して位置ずれすることなく安定して載置させるようにしてもよい。反対に、プロジェクタ４０に磁性材料の板材を設け、台座３０に磁石を設けて実施してもよい。
【００４８】
○上記実施形態では、受電コイル２２をカセット２３に収容し、そのカセット２３を筐体２１から引き出し可能に構成した。これを、受電コイル２２が筐体２１内に固設され、受電コイル２２が筐体２１から引き出せない非接触アダプタ２０に応用してもよい。勿論、カセット２３のままカセット収納凹部２４に固設して実施してもよい。
【００４９】
○上記実施形態では、カセット２３は、受電コイル２２を収容した。これを、受電回路２９も合わせてカセット２３に収容するように実施してもよい。
○上記実施形態では、カセット収納凹部２４は、１種類のカセット２３を収納した。これを、図１４（ａ）（ｂ）に示すように、サイズの異なるカセット２３を収納できるようにして、その時々の状況に応じてカセット２３を差し替えて使用できるように実施してもよい。
【００５０】
なお、カセット２３は、カセット２３の外側面の所定の箇所に受電コイル２２の出力端子が露出していて、カセット２３をカセット収納凹部２４に収納したとき、その露出した出力端子が受電回路２９の入力端子と電気的に接続されるようになっている。この場合、このようなカセット２３は、筐体２１から引き出して給電コイル１１に設置箇所に置いて給電することはできない。ただし、引出配線コード２５の先端で、カセット２３を交換できる構造（例えば、カプラ構造）にし、カセット収納凹部２４に対して差し替えできるようにした場合には、筐体２１から引き出して使用することができる。勿論、サイズが同一であって収納する受電コイル２２のサイズや巻き数等の規格が相違するカセット２３を差し替えて実施することは勿論可能である。
【００５１】
さらに、例えば、カセット収納凹部２４の上側に、新たなカセット収納凹部２４を設け、その新たなカセット収納凹部２４に新たなカセット２３を装填できるようにして実施してもよい。この場合、新たなカセット２３（受電コイル２２）のための受電回路２９を設けるとともにコンセント２６を設ける。
【００５２】
これによって、例えば、図７に示すように、筐体２１を給電コイル１１に真上に配置し、下側のカセット収納凹部２４に装填されたカセット２３の受電コイル２２で受電して得た電源を台座３０に載置されたプロジェクタ４０の駆動電源と使用する。これと同時に、上側のカセット収納凹部２４に装填したカセット２３を引き出して、異なる位置にある給電装置の給電コイルの真上に配置する。これによって、新たなカセット２３の受電コイル２２は、その給電コイルから別の電源を受電でき、その別の電源を筐体２１に隣接して配置した他の電気機器の駆動電源として供給することができる。つまり、非接触アダプタ２０は同時に２つの電気機器に駆動電源を供給することができる。
【００５３】
上記実施形態では、給電装置１０は外部から商用電源を入力したが、２次電池の電源を入力して実施してもよい。
上記実施形態では、非接触アダプタ２０の受電回路２９は、プロジェクタ４０の電源仕様の駆動電源を生成したが、複数種類の駆動電源を生成できるように、複数種類の受電回路２９を設けて実施してもよい。特に、図１４（ａ）（ｂ）に示すサイズの異なるカセット２３を差し替えて使用する場合や、サイズが同一であって収納する受電コイル２２の規格が相違するカセット２３を差し替えて使用する場合にそのカセット２３に応じて変更することもできる。
【００５４】
上記実施形態では、非接触アダプタ２０の筐体２１に設けた台座３０にプロジェクタ４０を載置したが、プロジェクタ４０に限定されるものではなくその他の電気機器を台座３０に載置して実施してもよいことは勿論である。
【００５５】
上記実施形態では、筐体２１に設けた台座３０に、規制壁３１等の位置ずれ防止部を形成したが、これら位置ずれ防止部を省略して実施してもよいことは勿論である。
上記実施形態では、筐体２１に設けた台座３０に対してプロジェクタ４０は、着脱可能に載置されるようにしたが、プロジェクタ４０（電気機器）を台座３０に連結固定して実施してもよい。
【符号の説明】
【００５６】
１…机、２…天板、２ａ…表面、３…配置位置表示ランプ、１０…給電装置（非接触給電装置）、１１…給電コイル、１２…電源回路、１３…高周波インバータ、２０…非接触アダプタ、２１…筐体、２１ａ…正面、２１ｂ…底面、２１ｃ…後面、２１ｄ…上面、２２…受電コイル、２３…カセット（受電用カセット）、２３ａ…一側面、２３ｂ…偏平面、２４…カセット収納凹部、２４ａ…開口部、２５…引出配線コード、２６…コンセント、２７…表示ランプ、２８…内部配線コード、２９…受電回路（電源回路部）、３０…台座、３１…規制壁（位置ずれ防止部）、３５…嵌合溝（位置ずれ防止部）、３６…規制壁（位置ずれ防止部）、３７…突起（位置ずれ防止部）、４０…プロジェクタ、４１…電源プラグ、４２添え木、Ｔ１，Ｔ２…外部出力端子、Ｔ３，Ｔ４…出力端子（出力部）、Ｔ５，Ｔ６…プラグ端子、Ｆ…フィルム（位置ずれ防止部）。
【図１】
2014099954.tif 000003
【図２】
2014099954.tif 000004
【図３】
2014099954.tif 000005
【図４】
2014099954.tif 000006
【図５】
2014099954.tif 000007
【図６】
2014099954.tif 000008
【図７】
2014099954.tif 000009
【図８】
2014099954.tif 000010
【図９】
2014099954.tif 000011
【図１０】
2014099954.tif 000012
【図１１】
2014099954.tif 000013
【図１２】
2014099954.tif 000014
【図１３】
2014099954.tif 000015
【図１４】
2014099954.tif 000016